(57)【特許請求の範囲】
【請求項１】
プラントの監視制御を行なうために、プラントから収集された監視データを表示装置上にグラフィカルに表示する監視制御画面表示装置において、上記表示装置のメイン画面上に、監視データの情報の表示や制御操作を行なうための手段を提供するための子ウィンドウ画面表示機能を有しており、
上記メイン画面上に表示する上記子ウィンドウ画面の配置パターンデータを複数登録し、登録されている上記子ウィンドウ画面の配置パターンデータの中から１つの配置パターンデータを選択することにより、上記表示装置上に表示されている上記子ウィンドウ画面の配置を変更する機能を有しており、
上記メイン画面を表示する上記表示装置として複数の表示デバイスを有しおり、複数の上記表示デバイスのうち、いずれかが故障のため表示不能となった場合に、表示不能となった上記表示デバイスを検出し、上記子ウィンドウ画面の配置パターンデータの中から、表示不能となった上記表示デバイスに上記子ウィンドウ画面の表示を行なわない上記子ウィンドウ画面の配置パターンデータを、自動的に選択を行い、その選択された上記子ウィンドウ画面の配置パターンデータに基づいて上記子ウィンドウ画面を故障していない上記表示デバイスに配置して表示するようにしたことを特徴とする監視制御画面表示装置。
【発明の詳細な説明】
【技術分野】
【０００１】
この発明は、プラントの監視制御システムにおいて、プラント運転員がプラントの状態監視や制御操作を行なうために使用する子ウィンドウ画面を持つ監視制御画面表示装置に関するものである。
【背景技術】
【０００２】
監視制御画面表示装置には、プラントから収集される計測データをグラフィカルに表示するための表示装置を有している。監視制御画面表示装置によっては、その表示装置が複数の表示デバイスを持つものもある。監視制御画面表示装置の表示装置上には、表示装置全面に表示される１つのメイン画面と、メイン画面上に配置される複数の子ウィンドウ画面が表示される。
【０００３】
従来の監視制御画面表示装置では、子ウィンドウ画面を表示すると、ある１つの規則にしたがって子ウィンドウ画面をメイン画面上に配置している。また、子ウィンドウ画面のプラント監視データの表示形態や制御操作手段の表示形態は固定としている。特許文献１に示されるように、１つの監視制御画面に切り換えることにより、切り換えられた監視制御画面に関連する、複数の子ウィンドウ画面としての監視制御画面を表示する手段を提供しているが、子ウィンドウ画面の表示形態の切替えや、子ウィンドウ画面の表示位置の制御は行なっていない。
【０００４】
【特許文献１】特開平５−３４６９９８号公報
【発明の開示】
【発明が解決しようとする課題】
【０００５】
従来の監視制御画面表示装置では、子ウィンドウ画面を表示する場合に、その表示形態を動的に変更することや、子ウィンドウ画面の配置を統合的に制御することは行っていなかった。このため、子ウィンドウ画面を表示させたままで、メイン画面が見える範囲を大きくしたい場合には、子ウィンドウ画面の１つ１つに対して、ウィンドウサイズを小さくする操作を行なうことで、子ウィンドウ画面の表示領域を小さくしている。そして、子ウィンドウ画面に表示されている情報が必要なときに、子ウィンドウ画面のウィンドウのスクロールバーを操作することにより参照したい情報を表示させたり、子ウィンドウ画面のウィンドウのサイズを元の大きさにしたりしている。また、メイン画面を切り換えた場合や、一度非表示とした子ウィンドウ画面を再表示させたい場合などは、子ウィンドウ画面を再表示させた後に、１つ１つの子ウィンドウ画面の表示位置を再度調整する必要があるという問題点があった。
【０００６】
この発明は上記のような課題を解決するためになされたものであり、監視制御画面表示装置の表示装置が複数台の表示デバイスによって構成されている場合には、そのうちのいずれかが故障した場合でも、正常に動作している他の表示デバイスによって、プラントの監視制御が滞りなく行なえるようにすることを目的とする。
【課題を解決するための手段】
【０００７】
この発明に係わる監視制御画面表示装置は、プラントの監視制御を行なうために、プラントから収集された監視データを表示装置上にグラフィカルに表示する監視制御画面表示装置において、上記表示装置のメイン画面上に、監視データの情報の表示や制御操作を行なうための手段を提供するための子ウィンドウ画面表示機能を有しており、上記メイン画面上に表示する上記子ウィンドウ画面の配置パターンデータを複数登録し、登録されている上記子ウィンドウ画面の配置パターンデータの中から１つの配置パターンデータを選択することにより、上記表示装置上に表示されている上記子ウィンドウ画面の配置を変更する機能を有しており、上記メイン画面を表示する上記表示装置として複数の表示デバイスを有しおり、複数の上記表示デバイスのうち、いずれかが故障のため表示不能となった場合に、表示不能となった上記表示デバイスを検出し、上記子ウィンドウ画面の配置パターンデータの中から、表示不能となった上記表示デバイスに上記子ウィンドウ画面の表示を行なわない上記子ウィンドウ画面の配置パターンデータを、自動的に選択を行い、その選択された上記子ウィンドウ画面の配置パターンデータに基づいて上記子ウィンドウ画面を故障していない上記表示デバイスに配置して表示するようにしたものである。
【発明の効果】
【００１２】
この発明の監視制御画面表示装置によれば、監視制御画面表示装置の表示装置が複数台の表示デバイスによって構成されている場合には、そのうちのいずれかが故障した場合でも、正常に動作している他の表示デバイスによって、故障した表示デバイスを補完することが可能となり、プラントの監視制御が滞りなく行なうことができる。
【発明を実施するための最良の形態】
【００１３】
実施の形態１．
以下、この発明の実施の形態１を図１に基づいて説明する。図１（ａ），（ｂ）はこの発明が対象とする監視制御画面表示装置の表示装置上に表示されるメイン画面の画面図である。図１（ａ）が子ウィンドウ画面の表示形態を変更する前の画面図で、図１（ｂ）が子ウィンドウ画面の表示形態を変更した後の状態を示す画面図である。１はメイン画面であり、メイン画面１上には、プラントから収集される監視データがグラフィカル（graphical：図示的やグラフ式的）に表示されている。１１，１３，２１，２３はメイン画面１上に配置される子ウィンドウ画面であり、子ウィンドウ画面１１，２１はプラントからの監視データをより詳細な形態で表示する子ウィンドウ画面を表している。子ウィンドウ画面１３，２３は制御操作手段を提供する子ウィンドウ画面を表している。１２，１４，２２，２４はそれぞれの子ウィンドウ画面に表示されているグラフィックボタンである。
【００１４】
次に動作について説明する。子ウィンドウ画面の表示形態を変更したい場合に、プラント運転員がグラフィックボタン１２又は１４をクリックすることにより、子ウィンドウ画面の表示形態を変更することができる。図１（ａ）において、グラフィックボタン１２をプラント運転員がクリックすると、図１（ａ）の子ウィンドウ画面１１が図１（ｂ）の子ウィンドウ画面２１に表示形態が変更される。このとき、子ウィンドウ画面２１の表示位置の基準位置は、子ウィンドウ画面１１の表示位置の基準位置と同一となる。なお、表示形態の変更と共に表示位置の基準位置を変更してもよい。
【００１５】
同じようにグラフィックボタン１４をプラント運転員がクリックすると、子ウィンドウ画面１３は、図１（ｂ）の子ウィンドウ画面２３に表示形態が変更され、表示位置の基準位置は子ウィンドウ画面１３が表示されていた表示位置の基準位置となる。なお、表示形態の変更と共に表示位置の基準位置を変更してもよい。また、図１（ｂ）の子ウィンドウ画面２１，２３の表示形態を元に戻したい場合には、それぞれの子ウィンドウ画面２１，２３のグラフィックボタン２２，２４をプラント運転員がクリックすれば、元の図１（ａ）の子ウィンドウ画面１１，１３の表示形態に変更される。このような子ウィンドウ画面の表示形態又は表示位置の動的な変更を行なうことを可能とすることにより、プラント監視制御作業のその時々の状況にあわせた監視制御の手段を提供することができ、限られた監視制御画面表示装置の画面領域の有効活用策となり得る。
【００１６】
図２は実施の形態1〜５の監視制御画面表示装置における構成とデータフローを示す図である。図中の矢印付の実線と実線はデータの流れを示す。監視制御画面表示装置３における複数のメイン画面の画面データは、監視制御画面データ３３として監視制御画面表示装置３の記録装置に格納されている。また、メイン画面１上に表示配置される子ウィンドウ画面は、その種類（詳しくは構成要素）毎に子ウィンドウ画面データ３４として、記録装置内に格納されている。メイン画面に表示配置される子ウィンドウ画面の種類，表示形態と位置情報は、メイン画面データ毎に監視制御画面データ別子ウィンドウ画面配置データ３５として記録装置に格納されている。
【００１７】
また、表示監視制御画面情報３ａには、その時点で表示されているメイン画面の種類の画面情報が保存されている。子ウィンドウ表示情報３ｂには、その時点でメイン画面に表示されている子ウィンドウ画面の（例えば複数の）種類と、その種類毎の表示形態と位置情報の表示情報が保存されている。
【００１８】
図１，図２を用いて、実施の形態１をさらに説明する。プラント運転員が表示装置３１に表示されたメイン画面１上における子ウィンドウ画面１１，１３のグラフィックボタン１２，１４のいずれかをクリックする。例えば、グラフィックボタン１２をクリックすると、クリックされた子ウィンドウ画面１１のグラフィックボタン１２の情報（指示）が子ウィンドウ配置手段３Ｄと子ウィンドウ画面表示形態変更手段３Ｅに伝達される。すると、子ウィンドウ配置手段３Ｄでは、グラフィックボタン１２の情報（指示）にしたがって、予め決められていた表示画面上の新ＸＹ座標が指示される（新ＸＹ座標は旧ＸＹ座標と変更されない場合もある。）。子ウィンドウ画面表示形態変更手段３Ｅでは、グラフィックボタン１２の情報（指示）にしたがって、予め決められていた新表示形態が指示される。
【００１９】
子ウィンドウ配置手段３Ｄと子ウィンドウ画面表示形態変更手段３Ｅから新ＸＹ座標と新表示形態が指示されると、子ウィンドウ表示情報３ｂは、今まで保持していた子ウィンドウ画面１１の種類のＸＹ座標と表示形態を、新ＸＹ座標と新表示形態に変更して保持する。子ウィンドウ表示情報３ｂの表示情報が変更されると、子ウィンドウ描画手段３Ｂは子ウィンドウ表示情報３ｂの表示情報が変更されたことを検出して、子ウィンドウ表示情報３ｂの表示情報（種類と新ＸＹ座標と新表示形態）に対応する子ウィンドウ画面の種類の画面データを子ウィンドウ画面データ３４から取得し、種類と新ＸＹ座標と新表示形態を基に子ウィンドウ描画手段３Ｂが表示装置３１に対して、子ウィンドウ画面の配置表示形態を変更した子ウィンドウ画面２１の描画を行う。なお、他のグラフィックボタン１４，２２，２４をクリックしても、同様に動作する。
【００２０】
実施の形態２．
図３は実施の形態２の監視制御画面表示装置を示す構成図である。監視制御画面表示装置３の表示装置３１上には、実施の形態１と同様に、メイン画面１と、メイン画面上に配置されている子ウィンドウ画面１１，２１がある。なお、図では、左のメイン画面１から右のメイン画面１へ、その中の子ウィンドウ画面１１の表示形態が子ウィンドウ画面２１の表示形態へ変更された様子を示している。監視制御画面表示装置３は、プラント４から監視データを取得して、表示装置３１上に、メイン画面１と子ウィンドウ画面１１，２１としてグラフィカルに表示を行っている。また、監視制御画面表示装置３には、子ウィンドウ画面形態変更キーデータ３２が、監視制御画面表示装置３内の記憶装置内に登録されている。子ウィンドウ画面形態変更キーデータ３２には、子ウィンドウ画面の種類毎の、子ウィンドウ画面の表示形態を変更する条件を決定するデータが保存されている。
【００２１】
実施の形態１ではプラント運転員の操作によって、子ウィンドウ画面の表示形態の変更を行なっていたが、その上に、実施の形態２では、子ウィンドウ画面の表示形態を、プラントから取得する監視データの値の変化によって自動的に切り換えることを行なう。監視制御画面表示装置３は、子ウィンドウ画面形態変更キーデータ３２を参照することにより、その時点で表示されている子ウィンドウ画面の表示形態を変更する条件の生成を行なう。
【００２２】
監視画面制御装置３は、プラント４から取得した監視データと、子ウィンドウ画面形態変更キーデータ３２から生成した子ウィンドウ画面の表示形態変更条件とを常時チェックしている。例えば、プラントに設置した機器の圧力，電圧，電流等の監視データが設定した所定値を超える異常値になったときに、表示形態変更条件が成立するようにしておくと、条件の成立により該当する子ウィンドウ画面の表示形態の変更処理を行い、表示装置３１へ、表示形態を変更した子ウィンドウ画面の表示を行なう。このように、自動的に子ウィンドウ画面の表示形態を変更することで、必要とされるプラントデータのより詳細な監視制御手段を即座に提供することができ、プラント運転員の作業負荷を減らすことができる。
【００２３】
図３と図２において実施の形態２をさらに説明する。子ウィンドウ画面形態変更キーデータ３２とその時点で表示装置３１に表示されている子ウィンドウ画面表示情報３ｂの表示情報とから、子ウィンドウ画面表示形態変更条件３ｄが生成される。また、監視制御画面表示装置３は常時プラントからの監視データを取得しており、監視データ取得部３Ｈによって、プラントから送信されてくるデータを監視データ３ｃとして管理している。監視データ形態変更条件チェック手段３Ｇは、生成された子ウィンドウ画面表示形態変更条件３ｄの情報と監視データ３ｃとを常時チェックし、条件が成立すると該当する子ウィンドウ画面の表示形態の変更を子ウィンドウ画面表示形態変更手段３Ｅに依頼する。
【００２４】
すると子ウィンドウ画面表示形態変更手段３Ｅは予め決められていた新表示形態を指示する。子ウィンドウ表示情報３ｂは、今まで保持していた子ウィンドウ画面の条件が成立した種類の表示形態を、新表示形態に変更して保持する。子ウィンドウ表示情報３ｂの表示情報が変更されると、子ウィンドウ描画手段３Ｂは子ウィンドウ表示情報３ｂの表示情報が変更されたことを検出して、子ウィンドウ表示情報３ｂの表示情報（種類とＸＹ座標と新表示形態）に対応する子ウィンドウ画面の種類の画面データを子ウィンドウ画面データ３４から取得し、種類とＸＹ座標と新表示形態を基に子ウィンドウ描画手段３Ｂが表示装置３１に対して、子ウィンドウ画面の表示形態を変更した子ウィンドウ画面２１の描画を行う。このようにして、条件が成立すると、子ウィンドウ画面１１から子ウィンドウ画面２１に変更される。
【００２５】
実施の形態３．
図４は実施の形態３の監視制御画面表示装置を示す構成図である。実施の形態１および実施の形態２の監視制御画面表示装置３は、複数のメイン画面の中から表示装置３１に表示するメイン画面を選択することができる。図４の上下の表示画面１ａ，１ｂはメイン画面が上下の表示画面１ａ，１ｂ間で切り換えられたことを示している。複数のメイン画面の画面データは、監視制御画面データ３３として監視制御画面表示装置３の記録装置に格納されている。
【００２６】
監視制御画面表示装置３の表示装置３１に表示するメイン画面を変更する場合は、プラント運転員が、表示を行なうメイン画面を、監視制御画面データ３３の中から選択する。選択された監視制御画面データをメイン画面として表示装置３１上に表示する前に、まず既に表示されているメイン画面１ａを非表示にする。このとき、メイン画面１ａ上に表示されている子ウィンドウ画面に対しても非表示処理が行われ、非表示にされる。また、子ウィンドウ画面の非表示処理と同時に、その時の表示データが、メイン画面１ａの監視制御画面データに対応する監視制御画面データ別の子ウィンドウ画面の表示データとして、監視制御画面データ別子ウィンドウ画面配置データ３５に記録される。この後に、選択されたメイン画面が監視制御画面データ３３の記録装置から読み出され、表示装置３１上にメイン画面１ｂとして表示される。
【００２７】
メイン画面１ｂの表示処理が終了すると、監視制御画面データ別子ウィンドウ画面配置データ３５の中から、上記メイン画面１ｂの監視制御画面データに対応する子ウィンドウ画面配置データが検索されて読み出される。つまりメイン画面の前回切替え時や終了時にそのメイン画面に対応して記録された子ウィンドウ画面の表示データが検索され読み出される。子ウィンドウ画面表示データには、メイン画面上に表示する子ウィンドウ画面の種類とその子ウィンドウ画面の表示形態（サイズも含む）と表示する位置の情報が記録されており、このデータに従って、子ウィンドウ画面データ３４から表示を行う子ウィンドウ画面の画面データを読み出し、子ウィンドウ画面表示データに記録されていた種類，表示形態と表示位置のデータに従ってメイン画面上に子ウィンドウ画面の表示を行う。このような方法で、子ウィンドウ画面の表示・配置処理を自動で行なうことにより、プラント運転員の作業負荷を減らすことができ、早急な監視制御作業を要求される場合でも対応でき、プラント運転員に過度の負荷を与えずにプラントの監視制御を行なうことができる。
【００２８】
図４と図２をもとに実施の形態３をさらに説明する。まずプラント運転員によりメイン画面の選択操作が行われる。このメイン画面の選択操作により、監視制御画面データ切替手段３Ｃが呼び出される。監視制御画面データ切替手段３Ｃは、表示監視制御画面情報３ａと子ウィンドウ表示情報３ｂとを参照して、その時点で表示されているメイン画面に対応する子ウィンドウの表示情報（種類と表示形態と位置情報）を監視制御画面データ別子ウィンドウ画面配置データ３５に保存する。次に監視制御画面データ切替手段３Ｃは、表示監視制御画面情報３ａの保存されているメイン画面の種類の情報をプラント運転員が選択したメイン画面の種類の情報に書き換える。
【００２９】
監視制御画面描画手段３Ａは表示監視制御画面情報３ａが変更されたことを検出して、表示監視制御画面情報３ａに対応するメイン画面の画面データを監視制御画面データ３３から取得し、表示装置３１に対して、選択されたメイン画面の表示を行う。監視制御画面データ切替手段３Ｃはさらに、監視制御画面データ別子ウィンドウ画面配置データ３５を参照し、プラント運転員によって選択されたメイン画面に対応する子ウィンドウの表示情報を取得する。
【００３０】
取得した子ウィンドウの表示情報をもとに、子ウィンドウ配置手段３Ｄと子ウィンドウ画面表示形態変更手段３Ｅに対して、子ウィンドウ表示情報３ｂの変更依頼を行う。子ウィンドウ配置手段３Ｄと子ウィンドウ画面表示形態変更手段３Ｅが、依頼にもとづいて、子ウィンドウ表示情報３ｂの変更を行う。子ウィンドウ表示情報３ｂの変更が行われると、子ウィンドウ描画手段３Ｂは、子ウィンドウ表示情報３ｂの表示情報が変更されたことを検出して、子ウィンドウ表示情報３ｂに対応する子ウィンドウ画面の画面データを子ウィンドウ画面データ３４から取得し、種類と表示形態と位置情報を基に表示装置３１に対して、メイン画面に対応する子ウィンドウを配置表示する。
【００３１】
実施の形態４．
図５は実施の形態４の監視制御画面表示装置を示す構成図である。図５の上下に示すｎ個のメイン画面１ｃ，１ｄ，・・・，１ｎは、互いに異なる配置パターンデータに基づいて表示されたメイン画面を表す。実施の形態１および実施の形態２の監視制御画面表示装置３における記録領域には、子ウィンドウ画面の配置パターンデータ３６が格納されており、メイン画面上に表示する子ウィンドウ画面の配置パターンデータ３６ｃ，３６ｄ，・・・，３６ｎが記録されている。配置パターンデータ３６ｃ，３６ｄ，・・・，３６ｎのいずれかを選択することにより、それぞれの子ウィンドウ画面の配置パターンデータによって、表示装置３１に表示されているメイン画面上の子ウィンドウ画面の表示配置を一度に変更することが可能となる。メイン画面１ｃ，１ｄ，・・・，１ｎは、子ウィンドウ画面の配置パターンデータ３６ｃ，３６ｄ，・・・，３６ｎによって子ウィンドウ画面の配置が変更された状態を表している。
【００３２】
プラント監視制御を行っているときに、メイン画面上に表示されている子ウィンドウ画面を整列配置させて、他の監視制御データと比べながら、監視や制御を行ないたい場合がある。このような場合のために、子ウィンドウ画面の配置パターンデータ３６ｃ，３６ｄ，・・・，３６ｎに記録されている子ウィンドウ画面の配置パターンデータの中から適切なものを選択することによって、メイン画面に表示されている子ウィンドウ画面の配置を一括して変更する機能が提供できる。また、子ウィンドウ画面の配置パターンデータ３６ｃ，３６ｄ，・・・，３６ｎのいずれかが選択されている状態で、新規の子ウィンドウ画面の表示を行った場合でも、その時点で選択されている子ウィンドウ画面配置パターンデータに従った子ウィンドウ画面の配置表示が継続されて行われる。
【００３３】
図５と図２をもとに実施の形態４をさらに説明する。まずプラント運転員が子ウィンドウ画面配置パターンデータ３６の一覧から、子ウィンドウ画面の配置パターンを１つ選択する。子ウィンドウ画面配置パターン選択手段３Ｆは、選択された子ウィンドウ画面配置パターンに対応するパターンデータを子ウィンドウ画面配置パターンデータ３６から取得する。取得したパターンデータをもとに、子ウィンドウ画面配置パターン選択手段３Ｆは、子ウィンドウ配置手段３Ｄと子ウィンドウ画面表示形態変更手段３Ｅに対して、その時点で表示されている子ウィンドウ画面の配置と表示形態を変更するように依頼する。
【００３４】
子ウィンドウ配置手段３Ｄと子ウィンドウ画面表示形態変更手段３Ｅは、依頼された内容に基づいて、子ウィンドウ表示情報３ｂの種類毎にその表示形態と位置情報の変更を行う。子ウィンドウ表示情報３ｂの変更が行われると、子ウィンドウ描画手段３Ｂは子ウィンドウ表示情報３ｂの表示情報が変更されたことを検出して、子ウィンドウ表示情報３ｂの表示情報に対応する子ウィンドウ画面の画面データを子ウィンドウ画面データ３４から取得し、種類と表示形態と位置情報を基に表示装置３１に表示される子ウィンドウ画面の表示配置が、プラント運転員が指示した子ウィンドウ画面の配置パターンに変更される。
【００３５】
実施の形態５．
図６は実施の形態５の監視制御画面表示装置を示す構成図である。実施の形態４の監視制御画面表示装置において、監視制御画面表示装置３の表示装置３１は複数の表示デバイスから構成されている。この表示装置３１には、全体でメイン画面１ａが表示されている。メイン画面１ａには複数の子ウィンドウ画面が表示されている。複数の表示デバイスから構成された表示装置３１のいずれかの表示デバイスが故障して、表示能力を失ってしまった場合、監視制御画面表示装置３がこれを自動検知して、監視制御画面表示装置３の記録装置に格納されている子ウィンドウ画面配置パターンデータ３６の配置パターンデータの中から、故障した表示デバイスが表示できなくなった場合のために、予め登録されていた配置パターンデータ３６ｘを、子ウィンドウ画面の配置パターンデータとして選択して、メイン画面上の子ウィンドウ画面を一括して又は一部の子ウィンドウ画面を削除して自動配置変更する。
【００３６】
この処理により、メイン画面１ｘのように、子ウィンドウ画面が配置表示されることとなり、表示能力を失った表示デバイス以外の表示デバイスに子ウィンドウ画面を表示することができる。この機能により、複数の表示デバイスからなる表示装置３１を用いて監視制御画面表示装置３を構成した場合には、複数の表示デバイスのうち１つが故障して表示能力を失っても、故障していない残りの表示デバイスによって、故障した表示デバイスを補完することが可能となり、表示デバイスの故障に対する、監視制御画面表示装置３の安全性を高めることになる。
【００３７】
図６と図２を用いて、実施の形態５をさらに説明する。まず、表示装置３１のいずれかの表示デバイスが故障した場合、その情報が、子ウィンドウ画面配置パターン選択手段３Ｆに通知される。故障情報を受けた子ウィンドウ画面配置パターン選択手段３Ｆは、その故障情報に対して、故障した表示デバイスを除いて、子ウィンドウ画面を配置表示するパターンデータを、子ウィンドウ画面配置パターンデータ３６に予め登録されていたパターンデータから取得する。子ウィンドウ画面配置パターン選択手段３Ｆは、取得したパターンデータをもとに、子ウィンドウ配置手段３Ｄと子ウィンドウ画面表示形態変更手段３Ｅに対して、その時点で表示されている子ウィンドウ画面の配置と表示形態を変更するように依頼する。
【００３８】
子ウィンドウ配置手段３Ｄと子ウィンドウ画面表示形態変更手段３Ｅは、依頼された内容に基づいて、子ウィンドウ表示情報３ｂの変更を行う。子ウィンドウ表示情報３ｂの表示情報の変更が行われると、子ウィンドウ描画手段３Ｂは子ウィンドウ表示情報３ｂの表示情報が変更されたことを検出して、子ウィンドウ表示情報３ｂに対応する子ウィンドウ画面の描画データを子ウィンドウ画面データ３４から取得し、種類と表示形態と位置情報を基に表示装置３１に表示される子ウィンドウ画面の表示配置を、故障して表示能力を失った表示デバイス以外の表示デバイスに変更することができる。
【図面の簡単な説明】
【００３９】
【図１】この発明の実施の形態１における監視制御画面表示装置の表示装置上に表示されるメイン画面の画面図である。
【図２】実施の形態1〜５の監視制御画面表示装置における構成とデータフローを示す図である。
【図３】実施の形態２の監視制御画面表示装置を示す構成図である。
【図４】実施の形態３の監視制御画面表示装置を示す構成図である。
【図５】実施の形態４の監視制御画面表示装置を示す構成図である。
【図６】実施の形態５の監視制御画面表示装置を示す構成図である。
【符号の説明】
【００４０】
１  メイン画面
１ａ，１ｂ，---，１ｘ，１ｎ  表示画面
３  監視制御画面表示装置
３Ａ  監視制御画面描画手段
３ａ  表示監視制御画面情報
３Ｂ  子ウィンドウ描画手段
３ｂ  子ウィンドウ表示情報
３Ｃ  監視制御画面データ切替手段
３ｃ  監視データ
３Ｄ  子ウィンドウ配置手段
３ｄ  子ウィンドウ画面表示形態変更手段
３Ｅ  子ウィンドウ画面表示形態変更手段
３Ｆ  子ウィンドウ画面配置パターン選択手段
３Ｇ  監視データ形態変更条件チェック手段
３Ｈ  監視データ取得部
４  プラント
１１  子ウィンドウ画面
１２  グラフィックボタン
１３  子ウィンドウ画面
１４  グラフィックボタン
２１  子ウィンドウ画面
２２  グラフィックボタン
２３  子ウィンドウ画面
２４  グラフィックボタン
３１  表示装置
３２  子ウィンドウ画面表示形態変更キーデータ
３３  監視制御画面データ
３４  子ウィンドウ画面データ
３５  監視制御画面データ別子ウィンドウ画面配置データ
３６  子ウィンドウ画面配置パターンデータ
３６ａ，３６ｂ，３６ｃ，３６ｄ，・・・，３６ｘ，３６ｎ  配置パターンデータ
【図１】
0004484808.tif 000002
【図２】
0004484808.tif 000003
【図３】
0004484808.tif 000004
【図４】
0004484808.tif 000005
【図５】
0004484808.tif 000006
【図６】
0004484808.tif 000007